(57)【要約】【課題】設置後のダクトの接続不良や離脱に対して、容易に修復することができる天井裏設置タイプの熱交換換気装置を得る。【解決手段】排気流を排気通路に形成する排気用送風機３と、給気流を給気通路に形成する給気用送風機２と、給排気流間で連続的な熱交換を行う熱交換器５とが六面体の本体箱体１に組込まれた天井裏設置タイプの熱交換換気装置について、その排気用送風機３と給気用送風機２並びに熱交換器５等の機能部品を本体箱体１の下面に開口させた点検口８において脱着できるように構成し、本体箱体１の対向する側面には排気通路と給気通路の端末を構成するダクト接続の可能な端末部品２２，２５をそれぞれ設け、機能部品を取外すことにより、本体箱体１の点検口８からの操作で各端末部品２２，２５を切離して本体箱体１をダクト接続方向に沿う水平方向に移動できるようにする。【選択図】　　　　　図１
2004085149.tif 000002
【特許請求の範囲】
【請求項１】
室内から室外へ向う排気流を排気通路に形成する排気用送風機と、室外から室内へ向う給気流を給気通路に形成する給気用送風機と、前記排気通路と給気通路の経路の一部を構成し、給排気流間で連続的な熱交換を行う熱交換器とが六面体の本体箱体に組込まれた天井裏設置タイプの熱交換換気装置であって、前記排気用送風機と前記給気用送風機並びに前記熱交換器等の機能部品を前記本体箱体の下面に開口させた点検口において脱着できるように構成し、前記本体箱体の対向する側面には前記排気通路と給気通路の端末を構成するダクト接続の可能な端末部品をそれぞれ設け、前記機能部品を取外すことにより、前記本体箱体の点検口からの操作で前記各端末部品を切離して前記本体箱体をダクト接続方向に沿う水平方向に移動できるようにした熱交換換気装置。
【請求項２】
請求項１に記載の熱交換換気装置であって、一側面側の端末部品は、本体箱体の水平方向への移動によりダクト接続したままで同本体箱体における機能部品の装着部分対応位置に位置させることができるようにした熱交換換気装置。
【請求項３】
請求項１又は請求項２のいずれかに記載の熱交換換気装置であって、各端末部品は、ダクトと切離すことによって本体箱体外に取外すことができるようにした熱交換換気装置。
【請求項４】
請求項１〜請求項３までのいずれかに記載の熱交換換気装置であって、一方の端末部品は、給気通路の出口を構成し、本体箱体の天面に略平行な複数のダクト接続口を三方向に向って設け、その対向する二方向のダクト接続口については着脱可能に構成した熱交換換気装置。
【請求項５】
請求項４に記載の熱交換換気装置であって、二方向のダクト接続口の着脱構造を、端末部品側に設けた溝と、同ダクト接続口側に設けた爪と、この爪の掛止まる係合孔とで構成した熱交換換気装置。
【発明の詳細な説明】
【０００１】
【発明の属する技術分野】
本発明は、熱交換器を通じて給排気による熱交換換気を行う天井裏設置タイプの熱交換換気装置に関するものである。
【０００２】
【従来の技術】
熱交換換気を行う天井裏設置タイプの熱交換換気装置は、基本的には、図９に示すように、六面体の本体箱体５０に室内から室外（多くは屋外）へ向う排気流を排気通路５１に形成する排気用送風機５２と、室外（多くは屋外）から室内へ向う給気流を給気通路５３に形成する給気用送風機５４と、排気通路５１と給気通路５３の経路の一部を構成し、給排気流間で連続的な熱交換を行う熱交換器５５とを組込んだ構成が採られている。熱交換の主体である熱交換器５５は、一次気流である排気流を通す複数の一次通路と、二次気流である給気流を通す複数の二次通路とが内部で独立状態のまま交差した六面体で積層構造のものが多く採用されている。本体箱体５０の側部には、排気通路５１と給気通路５３の端末部品５６が設けられ、この端末部品５６にダクト５７が接続されて室内や室外へ連絡される。
【０００３】
【発明が解決しようとする課題】
上記したような従来の天井裏設置タイプの熱交換換気装置は、天井面に点検口が設けられ、この点検口から給気用送風機５４や排気用送風機５２並びに熱交換器５５等の保守点検ができるように設置されるが、天井面の点検口は大きくなく、本体箱体５０の投影平面積以内である。従って、端末部品５６に接続されたダクト５７が接続不良となったり外れたりした場合には、点検口からの操作での修復は無理であり、周辺部の天井板を剥がすなど大掛かりで手間とコストのかかる修復工事をしなければならないといった問題点がある。
【０００４】
本発明は、上記した従来の問題点を解消するためになされたものであって、その課題とするところは、設置後のダクトの接続不良や離脱に対して、容易に修復することができる天井裏設置タイプの熱交換換気装置を得ることである。
【０００５】
【課題を解決するための手段】
前記課題を達成するために請求項１の発明は、室内から室外へ向う排気流を排気通路に形成する排気用送風機と、室外から室内へ向う給気流を給気通路に形成する給気用送風機と、排気通路と給気通路の経路の一部を構成し、給排気流間で連続的な熱交換を行う熱交換器とが六面体の本体箱体に組込まれた天井裏設置タイプの熱交換換気装置について、その排気用送風機と給気用送風機並びに熱交換器等の機能部品を本体箱体の下面に開口させた点検口において脱着できるように構成し、本体箱体の対向する側面には排気通路と給気通路の端末を構成するダクト接続の可能な端末部品をそれぞれ設け、機能部品を取外すことにより、本体箱体の点検口からの操作で各端末部品を切離して本体箱体をダクト接続方向に沿う水平方向に移動できるようにする手段を採用する。
【０００６】
前記課題を達成するために請求項２の発明は、請求項１に係る前記手段における一側面側の端末部品を、本体箱体の水平方向への移動によりダクト接続したままで本体箱体における機能部品の装着部分対応位置に位置させることができるようにする手段を採用する。
【０００７】
前記課題を達成するために請求項３の発明は、請求項１又は請求項２のいずれかに係る前記手段における各端末部品を、ダクトと切離すことによって本体箱体外に取外すことができるようにする手段を採用する。
【０００８】
前記課題を達成するために請求項４の発明は、請求項１〜請求項３までのいずれかに係る前記手段における一方の端末部品を、給気通路の出口を構成するものとし、その端末部品に本体箱体の天面に略平行な複数のダクト接続口を三方向に向って設け、対向する二方向のダクト接続口については着脱可能に構成する手段を採用する。
【０００９】
前記課題を達成するために請求項５の発明は、請求項４に係る前記手段における二方向のダクト接続口の着脱構造を、端末部品側に設けた溝と、ダクト接続口側に設けた爪と、この爪の掛止まる係合孔とで構成する手段を採用する。
【００１０】
【発明の実施の形態】
図１〜図８は本実施の形態の熱交換換気装置について示したものである。この熱交換換気装置は、天井裏空間に設置される天井裏設置タイプのものであり、図１に全体の分解斜視図を示すように、六面体の本体箱体１内に給気用送風機２と排気用送風機３を組込んだ送風機ユニット４及び、積層型の熱交換器５を組込んだ熱交換器ユニット６が横並びに組付けられている。本体箱体１には、その一側面に前後に並んで二つの角形の開口部７が設けられ、対向する他側面は開放している。本体箱体１の下面の、開口部７のある側面側寄りの略半分は、点検口８として開放している。
【００１１】
送風機ユニット４は、図２に単独の分解斜視図で示すように本体箱体１内に上面を除いて密着して収まる六面体に構成され、本体箱体１の点検口８から開放した側面側に収められている。送風機ユニット４の中央にはモーター取付板９が、上側の発泡スチロールでできた羽根ケーシングブロック１０と下側の発泡スチロールでできた羽根ケーシングブロック１１との間に挟着けられ、その中央に両軸のモーター１２が取付けられている。上側の羽根ケーシングブロック１０には上面に吸込口が、前側の側面に吹出口の開放したスクロール空間１３が内設され、このスクロール空間１３においてモーター１２の回転軸に装着された排気用のファン１４が回転するようになっている。下側の羽根ケーシングブロック１１には側面に吸込口が、他側面に吹出口の開放したスクロール空間が内設され、このスクロール空間においてモーター１２の回転軸に装着された給気用のファン１５が回転するようになっている。
【００１２】
熱交換器ユニット６は、図３に単独の分解斜視図で示すように下面の開放した発泡スチロールでできた風路構造体１６に熱交換器５が着脱可能に嵌込まれて略六面体に構成されており、本体箱体１の点検口８から送風機ユニット４の横に並んで組込まれている。風路構造体１６には熱交換器５の一次通路に通じる通路１７が、上部に上側の羽根ケーシングブロック１０の吸込口に通じるように形成され、上側の羽根ケーシングブロック１０の吹出口に通じる通路１８が、前面上部に横向きに形成されている。また、風路構造体１６には、熱交換器５の二次通路に通じる通路１９が横方向に形成され、その一端は、下側の羽根ケーシングブロック１１の側面の吸込口に通じている。この通路１９には溝によって抜差しできるフィルター２０が装着され、熱交換器５の一次通路の入口側にもフィルター２１が装着されている。
【００１３】
本体箱体１内の開口部７のある一内側面には、第１の端末部品２２が装着されている。この第１の端末部品２２は、内側面に当接する板部に二個の開口部７にそれぞれ挿通させるダクト接続口２３が突出した構成であり、本体箱体１の外に突出した二個のダクト接続口２３に、それぞれ室外に臨むダクト２４が接続される（図８参照）。
【００１４】
本体箱体１の開放した側面には、第２の端末部品２５が本体箱体１の内側からのネジ付けにより装着されている。第２の端末部品２５は、本体箱体１の側面を閉止する板部に前後方向に外側に突出する箱部２６が設けられた構成で、箱部２６には本体箱体１の天面に略平行に複数のダクト接続口２３が列状に取付けられている。第２の端末部品２５の箱部２６の両側には開口部２７が開けられ、それぞれの開口部２７からダクト接続口２３が内側から外に突出して取付けられている。開口部２７の口縁には、図４に示すようにその内側の対向側に溝２８と係合孔２９が設けられ、ダクト接続口２３のフランジが溝２８に嵌められ、ダクト接続口２３のフランジに設けられた爪３０が係合孔２９に掛止めされてダクト接続口２３が係脱可能に取付けられている。対向する二方向のダクト接続口２３を着脱可能に構成することにより、包装サイズを小さくでき、荷扱いがし易く、輸送コストも低減できる。そして、爪３０と係合孔２９と溝２８との着脱構造を採ることにより、組立てを容易に行うことができる。
【００１５】
これらのダクト接続口２３には各室内に通じるダクト２４がそれぞれ接続される。ただし、不用なダクト接続口２３はスチロールでできた図５に示すような密閉蓋３１で密閉される。密閉蓋３１は、一端の閉塞したキャップ状に形成され、ダクト接続口２３に嵌込む嵌込部の内周には軸方向に数条のリブ３２が形成されている。このリブ３２が密閉蓋３１をダクト接続口２３に差込むことにより潰れ、気密を保持した状態でダクト接続口２３が閉止される。また、本体箱体１の点検口８は室内開口部３３及びフィルター装着口を有する蓋板３４で覆われる。
【００１６】
排気通路は、蓋板３４の室内開口部３３を入口端として、熱交換器５の一次通路から風路構造体１６の上部の通路１７を経て上側の羽根ケーシングブロック１０のスクロール空間１３の吹出口から風路構造体１６の前側の通路１８を通り、第１の端末部品２２の前側のダクト接続口２３を出口端とする一連の通風路である。給気通路は、第１の端末部品２２の後側のダクト接続口２３を入口端とし、風路構造体１６の一側の通路１９から熱交換器５の二次通路を経て下側の羽根ケーシングブロック１１のスクロール空間の吹出口から第２の端末部品２５の各ダクト接続口２３を出口端とする一連の通風路である。排気通路には排気用送風機３により室内空気を排気する排気流が、給気通路には給気用送風機２により室外の空気を室内へ給気する給気流が形成され、排気流と給気流とは熱交換器５により連続的に熱交換される。
【００１７】
天井裏へ取付け使用している状態で、ダクト２４の接続不良や外れが分かった場合、天井面の蓋板３４を外し、点検口８を開放して熱交換器ユニット６を点検口８から抜取る。さらに、送風機ユニット４も横移動させ点検口８から抜取る。これにより、本体箱体１は、空洞の箱になる。本体箱体１の点検口８から操作して第２の端末部品２５と本体箱体１とを結合しているネジを外し（図６、図７参照）、本体箱体１を図８の矢印方向へ水平移動させると、第１の端末部品２２は、本体箱体１における送風機ユニット４や熱交換器ユニット６といった機能部品の装着部分対応位置に位置させることができ、第２の端末部品２５は、前後左右に動かすことができる。
【００１８】
そして、第１あるいは第２の端末部品２２，２５のダクト２４との接続不良や外れを点検口８から修復し、本体箱体１を元の位置に戻し、第２の端末部品２５を点検口８からネジ締めすれば、第１の端末部品２２も元の位置になる。この後は、送風機ユニット４を点検口８より本体箱体１内に装着してから熱交換器ユニット６を装着して、点検口８に蓋板３４を取付ければダクト２４の修復は完了する。この場合、ダクト２４との接続を外すことにより、第１と第２の端末部品２２，２５は、点検口８から外に取出すことができ、不良部分の解消操作をした後、ダクト２４との再接続を行うこともできる。このように、本実施の形態の熱交換換気装置は、天井板等の構造を取外すような手間の掛かる大掛かりな作業をしなくても、本体箱体１の点検口８からの操作だけでダクト２４の接続不良や外れを修復することができる。
【００１９】
【発明の効果】
請求項１の発明によれば、設置後のダクトの接続不良や離脱に対して、容易に修復することができる天井裏設置タイプの熱交換換気装置が得られる。
【００２０】
請求項２の発明によれば、設置後のダクトの接続不良や離脱に対して、容易に修復することができる天井裏設置タイプの熱交換換気装置が得られる。
【００２１】
請求項３の発明によれば、請求項１又は請求項２のいずれかに係る前記効果とともにダクトとの接続不良の解消作業が容易になり、ダクトの再接続が可能になる。
【００２２】
請求項４の発明によれば、請求項１〜請求項３までのいずれかに係る前記効果とともに、給気を多数の部屋に対して実施できるようになる。
【００２３】
請求項５の発明によれば、請求項４に係る前記効果とともに突出する二方向のダクト接続口の着脱が容易になる。
【図面の簡単な説明】
【図１】実施の形態の熱交換換気装置を示す分解斜視図である。
【図２】実施の形態の熱交換換気装置の送風機ユニットを示す分解斜視図である。
【図３】実施の形態の熱交換換気装置の熱交換器ユニットを示す分解斜視図である。
【図４】実施の形態の熱交換換気装置の第２の端末部品の部分拡大断面図である。
【図５】実施の形態の熱交換換気装置の密閉蓋を示す斜視図である。
【図６】実施の形態の熱交換換気装置のダクトとの再接続操作の様子を示す説明図である。
【図７】実施の形態の熱交換換気装置のダクトとの再接続操作の様子を示す説明図である。
【図８】実施の形態の熱交換換気装置のダクトとの再接続操作の様子を示す説明図である。
【図９】従来の熱交換換気装置を示す構成図である。
【符号の説明】
１　本体箱体、　２　給気用送風機、　３　排気用送風機、　５　熱交換器、８　点検口、　２２　第１の端末部品、　２３　ダクト接続口、　２５　第２の端末部品、　２８　溝、　２９　係合孔、　３０　爪。
【図１】
2004085149.tif 000003
【図２】
2004085149.tif 000004
【図３】
2004085149.tif 000005
【図４】
2004085149.tif 000006
【図５】
2004085149.tif 000007
【図６】
2004085149.tif 000008
【図７】
2004085149.tif 000009
【図８】
2004085149.tif 000010
【図９】
2004085149.tif 000011